(57)【要約】【課題】実釣時において、ルアーアクションを支障無く行なえる魚釣用リールを提供することを目的とする。【解決手段】本発明の魚釣用リールは、リール本体１に設けられたスプールに、リール本体の側部に設けられたハンドル５の回転操作で釣糸を巻回するように構成されている。リール本体１の内部には、補助駆動部７０が設けられており、リール本体１を揺動させることによって補助駆動部７０が作動して、スプールに釣糸が補助的に巻回される。【選択図】    図２
2005130826.tif 000002
【特許請求の範囲】
【請求項１】
リール本体に設けられたスプールに、リール本体の側部に設けられたハンドルの回転操作で釣糸を巻回する魚釣用リールにおいて、
前記リール本体の内部に補助駆動部を設け、リール本体を揺動させることによって前記補助駆動部が作動して、前記スプールに釣糸を補助的に巻回可能としたことを特徴とする魚釣用リール。
【請求項２】
前記リール本体に、前記補助駆動部の作動をＯＮ／ＯＦＦに切り換え規制する規制手段を設けたことを特徴とする請求項１に記載の魚釣用リール。
【発明の詳細な説明】
【技術分野】
【０００１】
本発明は、リール本体の側板間に釣糸が巻回されるスプールを回転自在に支持した魚釣用リールに関し、特に、ルアーフィッシングに適した魚釣用リールに関する。
【背景技術】
【０００２】
従来、釣法の一つとして、ルアーと称される疑似餌にアクションを与えて魚を釣るルアーフィッシングが知られており、例えば、特許文献１や特許文献２に開示されているような構成の魚釣用リールが使用されている。このルアーフィッシングにおいて、通常、魚は一定のスピードと動きをするものにあまり興味を示さない習性があることから、ロッド及びリールの操作によってルアーを止めたり、動かしたりする等のアクションを与えることが行なわれている。
【０００３】
この場合の操作の一つとして、キャスト後にロッドを引き上げてルアーにアクションを与え、その引き上げた分の釣糸を、ロッドを下げながら糸ふけが生じないようにハンドルを回転操作してスプールに巻回することがある。そして、釣人は、この一連のルアーアクション（仕掛けの巻取り誘導操作）を、釣場の状況に応じて何回も繰り返し行い、魚のヒッティングを待つことになる。
【特許文献１】特開平５−１０３５６８号公報
【特許文献２】特開平１１−４２０３２号公報
【発明の開示】
【発明が解決しようとする課題】
【０００４】
ところで、上記した構成の魚釣用リールでルアーフィッシングを行なう場合、釣人は、上記したルアーアクション操作を、リールを握持保持した手によるロッド操作と、反対側の手による巻取り回転操作とを使い分けて行わなければならず、キャスティング操作後のロッドを操作する腕が伸びきっている状態や、ハンドルが下側に向いている状態（手首の関係上、ロッドと共に保持しているハンドルは下側を向き易い）では、他方の手が不自然な位置となって、容易かつ微妙なハンドル回転操作、すなわち巻取り操作が行えない、という不具合がある。
【０００５】
また、釣場の障害物やハンドル側の手で物を持っている場合、或いは片方の手で釣竿を支え、他方の手で魚を取り込むための手網を持っている場合等、手がふさがってしまい、ハンドル側の手で巻取り操作ができない状況が発生することもある。
【０００６】
本発明は、上記したような問題に基づいてなされたものであり、実釣時において、ルアーアクション操作を支障無く行なえる魚釣用リールを提供することを目的とする。
【課題を解決するための手段】
【０００７】
上記した目的を達成するために、本発明に係る魚釣用リールは、リール本体に設けられたスプールに、リール本体の側部に設けられたハンドルの回転操作で釣糸を巻回する構成において、前記リール本体の内部に補助駆動部を設け、リール本体を揺動させることによって前記補助駆動部が作動して、前記スプールに釣糸を補助的に巻回可能としたことを特徴とする。
【０００８】
上記した構成の魚釣用リールによれば、キャスティング操作を行った後、そのまま釣竿と共に保持しているリール本体を揺動させることで、補助駆動部を介して、釣糸を補助的にスプールに巻回させることが可能となる。すなわち、釣竿を操作する腕の伸縮状態や、その腕の手首の状態に何等影響を受けることなく、キャスティング操作した後、釣竿及びリール本体を一体的に保持している側の手を揺動させる（振る）ことで、容易かつ微妙な釣糸の巻取り操作が行なえるようになる。そして、上記した補助駆動部は、リール本体の内部に組み込まれているため、他物に当たったり落下等によって損傷することもなく、また、外部に露出しないことから、リールの保持性も向上する。
【発明の効果】
【０００９】
本発明の魚釣用リールによれば、釣竿及びリール本体を保持した手を揺動させることで、釣糸を補助的に巻回することが可能となるので、リールを安定して保持した状態を維持しながら、ルアーアクション操作を迅速かつ容易に行なえるようになる。
【発明を実施するための最良の形態】
【００１０】
以下、本発明に係る魚釣用リールの実施形態について、添付図面を参照して具体的に説明する。  
図１〜図５は、本発明に係る魚釣用リールの第１の実施形態を示す図であり、図１は平面図、図２は内部構造の一部を切欠いて示す左側面図、図３は側板を外してハンドル側から見た側面図、図４は図１のＡ−Ａ線に沿った断面図、そして、図５は一方向クラッチの拡大図である。
【００１１】
本実施形態の魚釣用リールのリール本体１は、左右フレーム２ａ，２ｂと、各フレームに対し、所定の空間をもって装着される左右側板３ａ，３ｂとを備えており、一方の側板側（本実施形態では右側板３ｂ側）には、ハンドル５を装着したハンドル軸６が回転可能に支持されている。
【００１２】
左右側板３ａ，３ｂ間には、釣糸が巻回されるスプール７が取り付けられたスプール軸８が回転可能に支持されており、スプール７は、前記ハンドル軸６に取り付けられている駆動歯車１０及びスプール軸８に継脱可能に支持されているピニオン１２を具備した巻取り駆動機構１３を介して、ハンドル５の回転操作によって回転駆動されるように構成されている。また、左右側板３ａ，３ｂ間には、スプール軸８よりも前方側で、かつ上方側に、リール本体を握り込んだ際、親指が載置できるように指当て部材（サムレスト）１５が配置されている。
【００１３】
前記ハンドル軸６には、スプール７に対する制動力を調節する公知のドラグ機構を操作するための回転体１６（ドラグ調節体）が設けられており、この回転体１６を回転操作することにより、釣糸繰出時のスプール回転に所望の制動力が付与されるようになっている。また、前記ピニオン１２には、公知のクラッチ機構１７が係合しており、スプール後方のクラッチレバー１８を押し下げることでスプール軸８との継合を解除してクラッチＯＦＦ（スプールフリー状態）とし、ハンドル５を巻取り操作することで、クラッチＯＦＦからクラッチＯＮ（スプール回転状態）に自動復帰できるようになっている。
【００１４】
前記巻取り駆動機構１３には、歯車伝達機構２０が連結されており、この歯車伝達機構２０に対して、後述する補助駆動部７０から駆動力が入力されることでスプール７を補助的に巻取り操作できるように構成されている。本実施形態における歯車伝達機構２０は、前記駆動歯車１０と隣接するようにハンドル軸６に取り付けられた歯車２１と、この歯車２１に噛合すると共にスプール７に釣糸を平行に巻回するよう左右に往復動する公知のレベルワインド装置３０を構成する駆動軸３１の端部に取り付けられた歯車２２と、右フレーム２ｂに一体回転可能に併設支持された歯車２３，２４とを備えている。なお、前記歯車２２は、併設された歯車の内、ハンドル側に配置される歯車２３に噛合している。
【００１５】
前記指当て部材１５のハンドル側には、収容部５０が形成されており、この内部に一方向クラッチ５１が配設されている。この一方向クラッチ５１は、図５に示すように、前記した歯車２４と噛合する歯車５２に嵌合される外輪５３と、複数のコロ５４及びこれを保持する保持器５５とを備えており、各コロ５４は、保持器５５との間に介在されたバネ部材５６の付勢力によって外輪５３の楔領域に付勢されている。また、一方向クラッチの内輪５８には、補助駆動部７０の駆動軸（揺動支持軸）が連結、乃至は一体的に形成されている。本実施形態では、補助駆動部７０は左側板側に配設されており、一方向クラッチの内輪５８は、指当て部材１５の手前側領域で左右方向に延出し、軸受等を介して回転可能に支持される補助駆動部７０の駆動軸５９に嵌合固定（一体化）されている。
【００１６】
補助駆動部７０は、スプール７に釣糸を補助的に巻回可能にするものであり、保持している手でリール本体１を揺動させたとき（振ったとき）に駆動されて、前記歯車伝達機構２０に対して駆動力を入力するように構成されている。上述したように、補助駆動部７０は、左側板側、すなわち左フレーム２ａと左側板３ａとの間の空間に収容されており、先端に錘７１を具備する振り子７２を備えている。この振り子７２の基部は、上述した駆動軸５９に対して回り止め固定されており、引張バネ７５によって、図２において常時、反時計回り方向に付勢されている。また、左フレーム２ａには、２本のピン７６が突設されており、振り子７２の揺動範囲を規制している。
【００１７】
上記のように構成された魚釣用リールによれば、クラッチ機構１７をスプールフリー状態に切換えてキャスティング操作を行った後、ルアーアクションを行なうに際して、釣竿と共にリール本体の反ハンドル側側板３ａを握持保持している手を揺動する（振る）ことにより、上記した補助駆動部７０が駆動される。すなわち、リール本体１に振動が加えられることにより、上記した振り子７２が引張バネ７５の付勢力に抗して揺動往復駆動され、これにより駆動軸５９は、図２において間欠的に時計回り方向に回転駆動される。この駆動軸５９の回転は、図３及び図５において、一方向クラッチ５１の内輪５８を反時計回り方向に回転させようとする。このとき、各コロ５４がバネ部材５６の付勢力と共に楔領域に押し付けられることから、その回転は、そのまま外輪５３及び歯車５２に伝達される。そして、この歯車５２の反時計回り方向の回転は、上記した歯車伝達機構２０を介して巻取り駆動機構１３の駆動歯車１０に伝達され（歯車５２→歯車２４，２３→歯車２２→歯車２１，１０）、ハンドル５を釣糸巻取り方向に回転させる（釣糸をスプールに補助的に巻回する）。
【００１８】
一方、ハンドル５を釣糸巻取り方向に回転操作すると、その回転は、歯車伝達機構２０を介して最終的に歯車５２及び外輪５３に伝達されるものの、図５において、外輪５３が反時計回り方向に回転しても、各コロ５４はフリー回転領域に移動することから、その回転が内輪５８や駆動軸５９（補助駆動部７０）に伝達されることはない。また、振り子７２が揺動（引張バネ７５の付勢力）した際、駆動軸５９は間欠的に図５の時計回り方向に回転駆動されるが、このとき各コロ５４はフリー回転領域に移動することから、その回転がスプール側に伝達されるようなこともない。
【００１９】
そして、上記したようにリール本体１を揺動操作することで、前記補助駆動部７０及び一方向クラッチ５１を介して、その回転力がハンドル軸６に伝達されることから、クラッチ機構１７がスプールフリー状態から巻取り状態に切換えられると共に、そのまま連続してスプール７の微妙な巻取り操作（巻取り補助操作）が行なえるようになる。すなわち、一方の手（左手）でスプール後方のクラッチレバー１８を押し下げてクラッチＯＦＦ（スプールフリー状態）とし、キャスティング操作後に、リール本体１を保持している手をそのまま振ることで、ハンドルが巻取り方向に駆動回転してクラッチ機構１７が自動的にＯＦＦからＯＮ（巻取り状態）に切換えられる。つまり、手を持ち替えたりすることなく、一方の手（左手）のままでクラッチＯＮからＯＦＦ、ＯＦＦからＯＮの切換え、そして、引き続いて補助巻取り操作が行なえると共に、他方の手（右手）で素早くハンドルによる巻取り操作に移行することが可能となる。
【００２０】
これにより、釣竿を操作する腕の伸縮状態や、その腕の手首の状態に何等影響を受けることなく、リール本体１を握持保持している手の操作で、安定した保持状態を維持しながら微妙な釣糸の巻取り操作が迅速且つ容易に行なえるようになる。また、リール本体に、釣糸補助巻き取り用の補助操作部材を配置しないため、外部に突出する部分が無くなって構成が簡素化される。従って、他物に当たったり、落下等によって補助操作部材が損傷、破損することがないと共に、リール保持性の向上が図れる。
【００２１】
なお、上記した構成の補助駆動部７０を配設した際、図６に示すように、振り子７２の揺動を規制する規制手段８０を設けることが好ましい。この規制手段８０は、振り子７２が揺動する位置に出没できるように構成されたもの、すなわち、補助駆動部７０の駆動がＯＮ／ＯＦＦできるものであれば良く、例えば、左フレームに設けられた案内部８１、この案内部８１に沿ってスライド移動される切換部材８２、この切換部材に一体的に設けられ、左側板から突出する操作部（図示せず）と一体化される連結部８３、及びＯＮ／ＯＦＦ位置が維持できるように、切換部材８２に対して磁力を与える磁性部材８４等を備えて構成されている。
【００２２】
このような規制手段８０によれば、切換部材８２をスライドさせて振り子７２の揺動を規制することで、補助駆動部７０を非駆動状態に維持しておくことが可能になる。
【００２３】
次に、本発明の第２の実施形態を、図７〜図１５を参照して説明する。これらの図において、図７は平面図、図８は補助操作部材の支持部の構成を示す部分断面平面図、図９は図８の主要部の拡大図、図１０は内部構造の一部を切欠いて示す左側面図、図１１は側板を外してハンドル側から見た側面図、図１２は図７のＢ−Ｂ線に沿った断面図、図１３は一方向クラッチの拡大図、図１４は補助操作部材の操作前の状態を示す図、そして、図１５は補助操作部材の操作中の状態を示す図である。なお、以下の説明では、上記した第１の実施形態と同様な部分については同一の参照符号を付し、詳細については省略する。
【００２４】
上記した実施形態では、揺動される補助駆動部７０によって、スプール７に釣糸を補助的に巻回させるように構成したが、このような補助的な巻回動作は、補助駆動部による駆動に加え、リール本体１を握持保持している指の操作で行なえるようにしても良い。すなわち、リール本体１に補助操作部材を配置し、これを操作することで、釣糸の補助的な巻回動作が行なえるように構成しても良い。
【００２５】
この実施形態における補助操作部材９０は、前記補助駆動部７０と関連するように設けられており、指当て部材１５の手前側領域に回転可能に支持されている前記駆動軸５９に設けられている。具体的には、補助操作部材９０は、回転可能な駆動軸５９を囲繞するように配設される基部９０ａと、この基部９０ａから軸方向に亘って径方向に突出する操作部９０ｂとを備えており、基部９０ａにピン９２を嵌め込むことで駆動軸５９に固定されている。なお、補助操作部材９０の基部には、左フレーム２ａとの間で付勢バネ９３が設けられており、操作部９０ｂは、常時前方側に回動する方向に付勢されている。この場合、操作部９０ｂは、通常状態において、図１１及び図１２に示すように、後方側斜め上方に向けて突出するように配置、構成しておくことが好ましい。
【００２６】
前記補助操作部材９０は、その操作部９０ｂが釣竿を保持した手の指で操作可能な位置、例えば、本実施形態のように、上記した指当て部材１５の後方側において回動可能に支持しておくことが好ましい。補助操作部材９０をこのような位置に配置しておくことにより、リール本体１を握り込んだ際に指当て部材１５に親指を載置すると、そのまま親指の腹部で倒伏操作を行なうことが可能となる。
【００２７】
また、操作部９０ｂは、基部９０ａより先端部が先細状となるように形成しておくことが好ましい。この場合、先細状とは、基部から先端部にかけて、幅形状、厚み形状の内、いずれか一方が先細となるように形成されていれば良く、このような形状により、糸絡みを効果的に防止でき、かつ操作性の向上が図れるようになる。また、本実施形態における基部９０ａは、左右フレーム間において、指当て部材１５の後端縁の略全体と重なる程度の幅広に形成されており、操作部９０ｂを幅広としていることから、リール本体１を保持した手の親指操作時の操作面が大きく取れ、補助操作部材９０の親指移動による操作性も向上する。
【００２８】
上記のような補助操作部材９０を設けたことにより、クラッチ機構１７をスプールフリー状態に切換えてキャスティング操作を行った後、ルアーアクションを行なうに際して、釣竿と共にリール本体の反ハンドル側側板３ａを握持保持している手の指Ｈ（親指）で操作部９０ｂを付勢バネ９３の付勢力に抗して回動操作（倒伏操作）することが可能となる（図１４及び図１５参照）。このような回動操作を行なうことで、前記一方向クラッチ５１及び歯車伝達機構２０を介して、その回動力がハンドル軸６に伝達されることから、クラッチ機構１７がスプールフリー状態から巻取り状態に切換えられると共に、そのまま連続してスプール７の微妙な巻取り操作（巻取り補助操作）が行なえるようになる。
【００２９】
すなわち、上記した第１の実施形態と同様、手を持ち替えることなく、一方の手（左手）のままでクラッチＯＮからＯＦＦ、ＯＦＦからＯＮの切換え、そして、引き続いて補助巻取り操作が行なえると共に、他方の手（右手）で素早くハンドルによる巻取り操作に移行することが可能となる。この場合、補助的な巻回操作を行なう操作部分は、レバー形状に形成されていることから、釣竿を保持した手の指が優しくフィットすることができ、回動操作が容易に行なえる。また、補助操作部材９０の駆動軸５９と歯車５２との間には、一方向クラッチ５１が介在しているため、ハンドル５を巻取り操作してスプール７に釣糸を巻回する時には、補助操作部材９０が連動することはなく、魚釣用リール全体として操作性の向上が図れる。
【００３０】
なお、本実施形態においても、第１の実施形態と同様、左側板側に補助駆動部７０を配設していることから、補助操作部材９０の操作とは関係なく、リール本体１を揺動させることによって、釣糸を補助的に巻回することが可能である。また、この実施形態においても、上記した実施形態と同様、規制手段９０を設けておいても良い。
【００３１】
上記した補助操作部材９０は、ハンドルを巻取り駆動した際に回転駆動される各所の回転体上に設けることが可能であり、その操作部の形状や配置位置に関しては、釣竿を保持した手の指で操作可能に構成されていれば、種々変形することが可能である。
【００３２】
また、上述した各実施形態における補助駆動部７０は、リール本体を揺動させた際に、釣糸が補助的に巻回されるように構成されたものであれば良く、その具体的な構成や配置箇所については、適宜変形することが可能である。例えば、右側板側に配置して、直接一方向クラッチの内輪と直結させるようにしても良い。
【図面の簡単な説明】
【００３３】
【図１】本発明に係る魚釣用リールの第１の実施形態を示す平面図。
【図２】リール本体の内部構造の一部を切欠いて示す左側面図。
【図３】側板を外してハンドル側から見た側面図。
【図４】図１のＡ−Ａ線に沿った断面図。
【図５】一方向クラッチの拡大図。
【図６】補助駆動部の規制手段を示す図。
【図７】本発明に係る魚釣用リールの第２の実施形態を示す平面図。
【図８】補助操作部材の支持部の構成を示す部分断面平面図。
【図９】図８の主要部の拡大図。
【図１０】リール本体の内部構造の一部を切欠いて示す左側面図。
【図１１】側板を外してハンドル側から見た側面図。
【図１２】図７のＢ−Ｂ線に沿った断面図。
【図１３】一方向クラッチの拡大図。
【図１４】補助操作部材の操作前の状態を示す図。
【図１５】補助操作部材の操作中の状態を示す図。
【符号の説明】
【００３４】
１  リール本体
３ａ，３ｂ  側板
５  ハンドル
７  スプール
２０  歯車伝達機構
５１  一方向クラッチ
７０  補助駆動部
８０  規制手段
９０  補助操作部材
【図１】
2005130826.tif 000003
【図２】
2005130826.tif 000004
【図３】
2005130826.tif 000005
【図４】
2005130826.tif 000006
【図５】
2005130826.tif 000007
【図６】
2005130826.tif 000008
【図７】
2005130826.tif 000009
【図８】
2005130826.tif 000010
【図９】
2005130826.tif 000011
【図１０】
2005130826.tif 000012
【図１１】
2005130826.tif 000013
【図１２】
2005130826.tif 000014
【図１３】
2005130826.tif 000015
【図１４】
2005130826.tif 000016
【図１５】
2005130826.tif 000017